(57)【要約】【課題】  ユーザに負担をかけずに迅速に必要な情報を共有し高い抗たん性を確保する。【解決手段】  ネットワークに接続され共有先と情報を共有する端末装置１０において、入力された情報とその種類の属性を保存する蓄積部１３と、共有すべき情報の種類の属性を保存すると共に共有先の属性を共有ポリシーとして保存し、蓄積部１３に保存されている情報の共有先での更新の必要性を判断し、共有ポリシーとして保存している共有先の属性を参照して、蓄積部１３に保存されている情報とその種類の属性を共有先に送信する共用情報管理部１５とを備えている。【選択図】        図２
2006163937.tif 000002
【特許請求の範囲】
【請求項１】
ネットワークに接続され共有先と情報を共有する端末装置において、
入力された情報とその種類の属性を保存する蓄積部と、
共有すべき情報の種類の属性を保存すると共に共有先の属性を共有ポリシーとして保存し、上記蓄積部に保存されている情報の共有先での更新の必要性を判断し、共有ポリシーとして保存している共有先の属性を参照して、上記蓄積部に保存されている情報とその種類の属性を共有先に送信する共用情報管理部とを備えたことを特徴とする端末装置。
【請求項２】
共有情報管理部は、共有ポリシーとして保存している監視周期の属性に基づき、蓄積部に保存されている情報の共有先での更新の必要性を判断することを特徴とする請求項１記載の端末装置。
【請求項３】
共有情報管理部は、共有ポリシーとして保存している再送の属性に基づき、共有先から情報とその種類の属性を受信したことを示す確認応答が得られない場合に、送信した情報とその種類の属性を共有先に再送することを特徴とする請求項１記載の端末装置。
【請求項４】
共有情報管理部は、送信された情報の種類の属性が共有ポリシーとして保存している情報の種類の属性と一致した場合に、送信された情報とその種類の属性を蓄積部に保存することを特徴とする請求項１記載の端末装置。
【請求項５】
共有情報管理部は、共有ポリシーとして保存している情報の重要性の属性に基づき、重要な情報とその種類の属性が蓄積部に保存されていることを出力させることを特徴とする請求項４記載の端末装置。
【請求項６】
共有情報管理部は、共有ポリシーとして保存している確認応答の属性に基づき、情報とその種類の属性を受信したことを示す確認応答を送信することを特徴とする請求項４記載の端末装置。
【発明の詳細な説明】
【技術分野】
【０００１】
この発明はサーバ等を設置しない分散型の情報共有システムにおける端末装置に関するものである。
【背景技術】
【０００２】
従来の情報共有システムでは、ネットワーク上にサーバ等の公開端末を設け、ユーザがその公開端末にアクセスし、共有されている情報を参照して必要とする情報を受信している。この情報共有システムは、ユーザが主体となって情報を参照する方式、いわゆるＰＵＬＬ型であるが、端末数等が多いネットワークでは、公開端末へのトラフィックが集中してしまい、ネットワークの回線速度によっては遅延が生じることがある。
【０００３】
この課題を解決するために、特許文献１に開示された情報共有システムでは、公開端末を扱うユーザが収集した情報を選別して配信することにより遅延の影響を回避している。
【０００４】
【特許文献１】特開２００１−１８８７６１号公報（段落０００９）
【発明の開示】
【発明が解決しようとする課題】
【０００５】
従来の情報共有システムは以上のように構成され、例えば上記特許文献１では、公開端末を扱うユーザが収集した情報を選別して送信するため、膨大な情報から必要な情報を選別するユーザへの負担が大きくなり選別のための時間も必要となる。そのため、迅速に情報共有を行う必要があるシステムでは、共有に時間がかかるという課題と、公開端末が故障した場合には、共有ができず抗たん性が低いという課題があった。
【０００６】
この発明は上記のような課題を解決するためになされたもので、ユーザに情報の選別等の負担をかけずに、迅速に必要な情報を共有できると共に、システムの一部に故障が発生しても高い抗たん性を確保できる端末装置を得ることを目的とする。
【課題を解決するための手段】
【０００７】
この発明に係る端末装置は、ネットワークに接続され共有先と情報を共有するものにおいて、入力された情報とその種類の属性を保存する蓄積部と、共有すべき情報の種類の属性を保存すると共に共有先の属性を共有ポリシーとして保存し、上記蓄積部に保存されている情報の共有先での更新の必要性を判断し、共有ポリシーとして保存している共有先の属性を参照して、上記蓄積部に保存されている情報とその種類の属性を共有先に送信する共用情報管理部とを備えたものである。
【発明の効果】
【０００８】
この発明により、ユーザに情報の選別等の負担をかけずに、迅速に必要な情報を共有できると共に、システムの一部に故障が発生しても、高い抗たん性を確保することができるという効果が得られる。
【発明を実施するための最良の形態】
【０００９】
実施の形態１．
図１はこの発明の実施の形態１による端末装置１０で構築される情報共有システムの基本構成を示す図である。この情報共有システムは、情報を共有する複数の端末装置１０と複数の端末装置１０を接続するネットワーク２０により構築されている。端末装置１０はセンサやＧＰＳ等の情報を収集する収集装置と連接して情報を取得したり、ユーザから情報を直接入力することにより様々な情報を取得する。
【００１０】
この情報共有システムでは、各端末装置１０はユーザから予め共有すべき情報の種類や共有先等の属性を入力して保存する。そして、端末装置１０は保存している種類の属性に対応する情報を入手すると、定期的に入手した情報とその種類の属性を、共有先の属性に基づきネットワーク２０を介して共有先の端末装置１０にＰＵＳＨ型で送信する。情報とその種類の属性を受信した端末装置１０は、自己が保存している種類の属性と比較し、一致する場合には受信した情報とその種類の属性を保存し、一致しない場合には破棄を行うことにより、各端末装置１０では、ユーザが意識することなく、共有すべき情報が更新されて情報共有が実現される。
【００１１】
図２は端末装置１０の構成を示すブロック図である。各端末装置１０は、入力部１１、連接部１２、蓄積部１３、出力部１４、共有情報管理部１５、通信制御部１６及び送受信部１７を備えている。
【００１２】
入力部１１はユーザから情報とその種類の属性や共有先の属性や監視周期の属性や情報の重要性の属性を入力し、連接部１２はセンサ等からの情報を収集する装置と連接し、情報とその種類の属性を入力する。蓄積部１３は入力部１１からユーザにより入力された情報とその種類の属性、及び連接部１２から入力された情報とその種類の属性を保存する。また、入力部１１は蓄積部１３への保存、送受信部１７を介しての情報の送信、蓄積部１３に保存された情報の出力部１４への表示等のユーザからの指示を受け付ける。出力部１４は蓄積部１３に保存されている情報の中から指定された情報を表示する。
【００１３】
共有情報管理部１５は、共有すべき情報を管理し共有先と情報を共有するための処理を行うもので、共有すべき情報の種類の属性を保存すると共に、共有先の属性や監視周期の属性や情報の重要性の属性を共有ポリシーとして保存する。ここで、共有先の属性としては、例えば、情報源すなわち情報を入手した端末装置１０から他の端末装置１０までの距離等である。また、共有情報管理部１５は、蓄積部１３に保存されている情報の共有先での更新の必要性を判断し、共有ポリシーとして保存している共有先の属性を参照して、蓄積部１３に保存されている情報とその種類の属性を共有先の端末装置１０に送信する。通信制御部１６は他の端末装置１０との通信制御を行い、送受信部１７は通信制御部１６の通信制御に基づき他の端末装置１０との間で情報の送受信を行う。
【００１４】
図３は端末装置１０における共有情報管理部１５の内部構成を示すブロック図であり、この共有情報管理部１５は、共有リスト管理部３１、共有属性管理部３２及び共有グループ管理部３３を備えている。
【００１５】
共有リスト管理部３１は、入力部１１から入力された共有すべき情報の種類の属性を保存すると共に、蓄積部１３に保存されている情報の共有先での更新の必要性を判断する。共有属性管理部３２は、入力部１１から入力された共有先の属性や監視周期の属性や情報の重要性の属性を共有ポリシーとして保存する。共有グループ管理部３３は、共有リスト管理部３１が共有先での更新の必要性があると判断した場合に、共有属性管理部３２に共有ポリシーとして保存されている共有先の属性を参照して共有先のＩＰアドレス等との関連付けを行い、蓄積部１３に保存されている情報とその種類の属性を共有先に送信する。
【００１６】
図４は各端末装置１０の処理の流れを示すフローチャートである。
ステップＳＴ１において、運用開始前等に、入力部１１はユーザから共有すべき情報の種類の属性を入力し、共有情報管理部１５内の共有リスト管理部３１は入力された情報の種類の属性を保存する。共有すべき情報は、ユーザが利用する端末装置１０によって様々であり、例えばセンサからの情報であれば検知情報等が該当する。
【００１７】
ステップＳＴ２において、運用開始前等に、入力部１１はユーザから共有先の属性や監視周期の属性や情報の重要性の属性を予めシステムで決められた共有ポリシーとして入力し、共有情報管理部１５内の共有属性管理部３２は入力された共有先の属性や監視周期の属性や情報の重要性の属性を共有ポリシーとして保存する。
【００１８】
ステップＳＴ３において、運用開始前又は運用開始後に、入力部１１はユーザから共有すべき情報とその種類の属性を入力し、蓄積部１３は入力された情報とその種類の属性を保存し、連接部１２はセンサからの情報とその種類の属性を入力し、蓄積部１３は入力された情報とその種類の属性を保存する。
【００１９】
ステップＳＴ４において、共有リスト管理部３１は、蓄積部１３に保存されている情報とその種類の属性を、共有属性管理部３２に共有ポリシーとして保存されている監視周期の属性に基づき定期的に監視し、他の共有先の端末装置１０でのその情報の更新の必要性の有無を判断する。この更新の必要性は、例えば、共有リスト管理部３１が蓄積部１３における保存領域を監視毎に把握しておき、新たな領域に情報とその種類の属性が保存されている場合には、他の共有先の端末装置１０でのその情報の更新の必要性があると判断する。
【００２０】
共有リスト管理部３１が、他の共有先の端末装置１０でのその情報の更新の必要性があると判断した場合には、ステップＳＴ５において、共有グループ管理部３３は、共有属性管理部３２に共有ポリシーとして保存されている共有先の属性を参照して共有先のＩＰアドレス等との関連付けを行い、蓄積部１３に保存されている更新の必要性があると判断された情報とその種類の属性を、通信制御部１６及び送受信部１７を介してネットワーク２０に送信する。このとき、共有グループ管理部３３は、通信制御部１６と連携し、ＩＰ通信であるならば、マルチキャスト等によりトラフィック量を削減する手段を用いて送信する。また、入力部１１がユーザから共有ポリシーとして入力する監視周期の間隔の設定を長くすること等により、ネットワーク２０への負荷を低減しても良い。
【００２１】
ステップＳＴ６において、受信側の端末装置１０の共有情報管理部１５内の共有リスト管理部３１は、受信された情報の種類の属性を確認し、自己が保存している種類の属性と一致する場合には、受信された情報とその種類の属性を蓄積部１３に保存する。また、このとき、共有リスト管理部３１は、共有属性管理部３２に共有ポリシーとして保存されている情報の重要性の属性を参照し、受信された情報が重要性の高い情報であれば、出力部１４にポップアップ表示等を行わせることにより、ユーザに重要性の高い情報を受信し蓄積部１３に保存したことを確実に通知する。一方、共有リスト管理部３１は、受信された情報の種類の属性と自己が保存している種類の属性が一致ない場合には、受信された情報とその種類の属性を破棄する。
【００２２】
このように、各端末装置１０の蓄積部１３に、共有すべき情報が最新の状態で自動的に保存されるので、ユーザは自己の端末装置１０の蓄積部１３から情報を必要に応じて入手することができる。得られた様々な共有すべき情報の利用方法として、各々の端末装置１０のアプリケーションで判断させることにより、情報共有に伴うユーザの負担を低減することができる。また、共有を行わない一般的な情報については、端末装置１０の共有情報管理部１５を経由せずに直接、通信制御部１６がネットワーク２０を介して受信側の各端末装置１０の通信制御部１６に送信すれば良い。
【００２３】
この実施の形態１では、共有属性管理部３２に共有ポリシーとして情報の重要性の属性を保存しているが、受信側の端末装置１０が情報とその種類の属性を受信した場合に、受信したことを送信側の端末装置１０に通知する確認応答の送信を義務付ける確認応答の属性や、送信側の端末装置１０が受信側の端末装置１０から確認応答が得られない場合に、送信した情報とその種類の属性を再送する再送の属性を、共有ポリシーとして共有属性管理部３２に保存しても良い。
【００２４】
以上のように、この実施の形態１によれば、各端末装置１０は、予め共有すべき情報の種類の属性や共有先の属性を保存し、保存している種類の属性に対応する情報を入手すると、入手した情報とその種類の属性を、共有先の属性に基づき共有先の端末装置１０に定期的にＰＵＳＨ型で送信し、情報とその種類の属性を受信した端末装置１０は、自己が保存している種類の属性と比較して、一致する場合には受信した情報とその種類の属性を保存することにより、ユーザに情報の選別等の負担をかけずに、迅速に必要な情報を共有できると共に、システムの一部に故障が発生しても、全ての端末装置１０が故障しない限り、高い抗たん性を確保することができるという効果が得られる。
【図面の簡単な説明】
【００２５】
【図１】この発明の実施の形態１による端末装置で構築される情報共有システムの基本構成を示す図である。
【図２】この発明の実施の形態１による端末装置の構成を示すブロック図である。
【図３】この発明の実施の形態１による端末装置における共有情報管理部の内部構成を示すブロック図である。
【図４】この発明の実施の形態１による端末装置の処理の流れを示すフローチャートである。
【符号の説明】
【００２６】
１０  端末装置、１１  入力部、１２  連接部、１３  蓄積部、１４  出力部、１５  共有情報管理部、１６  通信制御部、１７  送受信部、２０  ネットワーク、３１  共有リスト管理部、３２  共有属性管理部、３３  共有グループ管理部。
【図１】
2006163937.tif 000003
【図２】
2006163937.tif 000004
【図３】
2006163937.tif 000005
【図４】
2006163937.tif 000006